(57)【要約】      （修正有）【課題】布張り茶箱制作の容易化、制作時間短縮、製品の均一化を可能とするために、布張り茶箱の蓋製作の為の固定器具を提供する。【解決手段】茶箱蓋と布を広げられる大きさの作業テーブル上の茶箱を、ハンドル１を備えたトグルクランプ２の固定力を利用して固定する。この際に、蓋、布、スポンジの位置が一定となるように作業テーブル４にガイド線とガイドホールを配置する。さらに、固定器具下部に車輪６と回転板を備えることで、作業者は移動せずに固定器具本体を回転させて茶箱各辺への布張り作業をすることが可能となる。また、手動固定器具本体２台を連結フック７で固定することで、人が座れるような特大サイズの茶箱作成にも利用することができる。【選択図】図１
2016040077.tif 000002
【特許請求の範囲】
【請求項１】
茶箱と布を広げられる大きさの作業テーブルと、ハンドルを備えたトグルクランプを備え、作業テーブル中央の真上の位置にトグルクランプ中心が設置される長さのアームによって、作業テーブルとクランプをアームで結合させた、布張り茶箱製作用の手動固定器具
【請求項２】
作業テーブルに茶箱と布の位置を特定、固定するためのガイド線とガイドホールを備えた請求項１の手動固定器具
【請求項３】
作業テーブル裏面に少なくとも３つ以上の車輪を備え、作業テーブル裏側中心部に回転軸を備え、回転軸受けと車輪受けの穴を備えた回転板を車輪の下に設置した請求項１ないし請求項２の手動固定器具
【請求項４】
作業テーブル側面の２辺に連結用フックを備え、２台の固定器具を連結して使用することができる請求項１ないし請求項３の手動固定器具
【発明の詳細な説明】
【技術分野】
【０００１】  本発明は、布張り茶箱の作製を誰でも、手足にある程度障害を持つ者であっても、容易に、特徴的な蓋部分の膨らみを形成出来るように、正確な布張りを可能にするインテリア茶箱作製用の固定器具に関するものである。
【背景技術】
【０００２】  お茶の葉を新鮮に保存運搬するために使われている木製の茶箱（以下、茶箱）に装飾性の高い布を張り、収納力のあるインテリアとして利用できる布張り茶箱が制作、使用されている（以下、インテリア茶箱と称する）。インテリア茶箱の特徴である美しい丸みをおびた形状（蓋の中央部に２〜５ｃｍの厚みからなだらかなカーブを描くような形状）は、茶箱の上にクッション性素材を敷き、その上から圧力をかけて適度な張力で生地を張ることで作り上げられる。従来の制作方法は、茶箱とクッション性素材に装飾性のある布地を直接包み、手や足を用いて圧力を加えて成形し、固定した上、タッカーで布を留めて制作していた。【０００３】  圧力を加えて固定する機能を持つ器具としては、ハンドプレスや圧着機械がある。大規模工場で用いられる圧着機械は、導入に費用やスペースが必要となり、小規模工場や家庭では、それらの機械を用いて布張りを行うことは困難である。また、市販されているハンドプレスは、アームが短く茶箱蓋の中央部分を固定することは不可能であり、均等に加圧することができない。
そこで、従来は、布張りのための固定、加圧作業を手と足の両方を用いて、且つ、相当強い力をかけて行う必要があった。
【先行技術文献】
【技術文献】
【０００４】
【技術文献１】
パイザー真澄  「お部屋が華やぐ極上収納  インテリア茶箱」梧桐書院
【発明の概要】
【発明が解決しようとする課題】
【０００５】  これは次のような欠点があった。
（イ）インテリア茶箱の特徴の１つであるクッション性と中央が膨らんだ外観を実現する      ためには、強い圧力を加えてウレタン、キルト綿を圧縮した上で、均等な張力を保      った状態で装飾布地を留め付ける必要ある。従来の方法では、手と足の両方で均等      に、しかも通常人の力いっぱいの力で圧力を掛けなければ、布とクッション性素材      と布にズレが生じて仕上がりに凹凸ができてしまう。
（ロ）手と足の両方を用いて強い力でウレタン、キルト綿を加圧し、蓋、布、クッション      素材を固定する従来の方法（以下、従来の方法）では、装飾布地にズレや凹凸が出      来やすく、インテリア茶箱の特徴である美しい丸みをおびた形状（蓋の中央部に２      〜５ｃｍの厚みからなだらかなカーブを描くような形状）を作るには、何年もの熟      練が必要であった。
（ハ）特に、従来の方法では、手足に障害のある者にとっては、重大な支障があった。即      ち、手と足の両方を用いて強い力でウレタン、キルト綿を加圧し、蓋、布、クッシ      ョン素材を固定することは手足に障害がある者には困難であり、インテリア茶箱の      特徴である美しい丸みをおびた形状（蓋の中央部に２〜５ｃｍの厚みからなだらか      なカーブを描くような形状）を作ることは、ほぼ不可能であった。
（ニ）従来の方法では、均等な張力を保った状態でシワなく布張りをすることすら、初心      者には難しく、制作に長時間を要した。
（ホ）従来の方法では、手作業の圧力加減の微妙な違いから、製品ごとに膨らみ具合にば      らつきが生じた。
（ヘ）大きいサイズのインテリア茶箱を作成する場合には上記問題は顕著となることから      、従来の方法では、何年もの製作経験のある余程の熟練者でなければ、大きいサイ      ズのインテリア茶箱の制作は困難であった。【０００６】  本発明の目的は、インテリア茶箱制作の容易化、時間短縮、多種多様な外装飾布地の使用、手や足にある程度不自由がある者であっても安全かつ容易に製作が可能となるインテリア茶箱製作用固定器具の提供である。
本発明は、以上のような、従来の方法の多くの深刻な欠点をなくすためになされたものである。
【課題を解決するための手段】
【０００７】  茶箱と布を広げる大きさをもつ作業テーブルと、ハンドルとトグル機構を備えたクランプ（固定装置）を、Ｌ字型アームにより作業テーブル真上に配置した手動固定器具を用いる。固定装置により、布、クッション性素材、茶箱蓋を中央に配した状態での固定を可能にする。作業テーブル中央真上に配置された固定装置は、ハンドルを下げることで常に一定の固定力で固定することができる。これにより常に同じ圧力で茶箱蓋とクッション性素材、布を圧縮固定することが可能となる。インテリア茶箱の蓋部分の膨らみ具合を左右する圧力の調整は、茶箱蓋と固定装置の間に挟む調整用木材の長さを変更することで可能となる。また、加圧により茶箱裏面のトタン板の破損防止のため保護用プレートを茶箱蓋に装着する。【０００８】作業テーブルに茶箱と布の位置を特定するためのガイド線とガイドホールを備えることで、作業テーブルに布、クッション性素材、茶箱蓋の順に配置した場合に、それぞれ最適な場所に正確にセットすることが可能になる。【０００９】作業テーブル裏面に少なくとも３つ以上の車輪を備え、作業テーブル裏側中心部に回転軸を備え、回転軸受け台と車輪受け穴を備えた回転板を車輪の下に設置することで、固定器具自体の向きを変えることが出来る。【００１０】作業テーブル側面の一辺に連結用フックを備えることで、２台の固定器具を連結して使用し、人が座れるような特大サイズの茶箱にも対応することができる。
【発明の効果】
【００１１】（イ）ハンドルを軽い力で下げるだけで、トグルクランプの固定力により、布、クッショ      ン性素材、茶箱蓋を固定することができる。これにより、手や足を用いて茶箱蓋を      固定しつつ布張りをする必要がなく、作業者は両手を使って布張り作業のみするこ      とが可能になり、作業が容易化し、また、手足がある程度不自由な者も作業をなし      得る。
（ロ）ハンドルを軽い力で下げるだけで、トグルクランプの固定力により、布、クッショ      ン性素材、茶箱蓋を固定することができる。これにより、中心から均一に圧力がか      かるようになり、容易に均一な張力を保った美しい布張りが可能となる。
（ハ）トグルクランプにより生じる固定力は常に一定なので、常に同じ圧力を加えること      ができ、手作業で行う場合に比べ製品のばらつきを押さえることができる。
（ニ）インテリア茶箱の蓋の膨らみ加減は、調整用木材の長さを変えることにより調整す      ることができる。
（ホ）ガイド線とガイドホールに従って布と茶箱蓋をセットすることで、作業テーブル上      に布や茶箱蓋を正確に設置することが可能になる。これにより、中央から均等に加      圧することができる。
（ヘ）回転装置を備えていることで、作業者は自身の向きを変更せずに固定器具を回転さ      せることで座ったままで固定された茶箱への布張り作業を順次行うことが出来る。      これにより足が不自由な者も容易に作業することが可能となる。
（ト）連結装置により固定器具を２台連結することで、人が座れるような特大サイズのイ      ンテリア茶箱の制作にも用いることが可能となる。
【発明の実施をするための形態】
【００１２】  以下、本発明を実施するための形態について説明する。
（イ）  図１は本発明の一例を示す固定器具の斜視図である。
請求項１の手動固定器具は、作業テーブルと、固定装置と、作業テーブルと固定装      置をつなぐアームからなる。作業テーブルは、布、クッション性素材、茶箱蓋を広      げられる広さのものである。固定装置は、トグル機構を備えたクランプにハンドル      を備え付けたものである。上記作業テーブルと固定装置をＬ字型アームにて結合さ      せる。結合させる位置は、作業テーブルの中央真上に固定装置の中心が配置される      位置にある。また、作業テーブル上面から固定装置の配置の高さは４０ｃｍほどが      好ましい。
（ロ）請求項２の手動固定器具は、請求項１の手動固定器具の作業テーブル表面に、茶箱      蓋を設置する為のガイド線とガイドホールを配する。（図３）ガイド線とガイドホ      ールは、作製するインテリア茶箱のサイズにより複数種配置することができる。
（ハ）請求項３の手動固定器具は、請求項１ないし２の手動固定器具の作業テーブル裏面      に車輪３個から８個を円状に配置する。作業テーブ裏側中心部に回転軸を配置する      。作業テーブルとほほ同じ大きさの鉄板に車輪を固定するための穴を車輪の数、作      業台テーブルに設置された車輪と対応する位置に空け、中心には、回転軸受けと車      輪受けの穴を備えた回転板を車輪の下に設置する。作業テーブル裏面の回転軸を回      転板の回転軸受けにはめ込む。（図４）
（ニ）請求項目４の手動固定器具は、請求項１ないし３の手動固定器具の作業テーブルの      側面に連結フックを備える。
本発明は、以上のような構造である。
【００１３】本発明を使用するときは、以下の手順により使用する。
（イ）作業テーブルの中央にガイド線に沿って、布、クッション性素材、茶箱蓋の内側を      上にした茶箱蓋を重ねて配置する。
（ロ）茶箱蓋の内側に保護用プレートをはめ込む。
（ハ）保護用プレートの中心に調整用木材を配置する。
（ニ）トグル機構の固定装置のハンドルを下げて、作業テーブルにのせた茶箱蓋等を固定      する。（図５）
（ホ）茶箱蓋、クッション性素材、布が固定された状態のまま、布端を茶箱蓋のヘリにタ      ッカーで留める。
（ヘ）一辺をタッカーで固定したら、固定器具を回転させてタッカーを打ちやすい位置に      作業テーブルを調整しながら、次の辺をタッカーで固定する。これを繰り返し、四      面をタッカーで留める。
（ト）すべてをタッカーで留めたら、ハンドルを上げて固定器具から茶箱蓋を取り外す。
【図面の簡単な説明】
【００１４】
【図１】本発明の一例を示す固定器具の斜視図である。
【図２】本発明の一例を示す固定器具の稼働機構であるハンドルとトグルクランプ部分を示す斜視図である。
【図３】本発明の一例を示す固定器具の作業テーブル部分を示す平面図である。
【図４】本発明の一例を示す固定器具の回転板部分を示す平面図である。
【図５】本発明の一例を示す固定器具を使用した実施例を示す斜視図である。
【符号の説明】
【００１５】  １  ハンドル
２  トグルクランプ
３  アーム
４  作業テーブル
５  回転台
６  車輪
７  連結フック
８  蓋用ガイドライン
９  布用ガイドライン
１０  中心補助線
１１  蓋用ガイドホール
１２  布用ガイドホール
１３  軸受け
１４  車輪受け用ホール
１５  調整用木片
１６  茶箱蓋保護プレート
１７  茶箱蓋
【図１】
2016040077.tif 000003
【図２】
2016040077.tif 000004
【図３】
2016040077.tif 000005
【図４】
2016040077.tif 000006
【図５】
2016040077.tif 000007